【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
レンズのアレイと、
前記レンズのアレイに光学的に接続されるとともに、前記レンズのアレイに入射する光を差分電気信号に変換するように構成された光通信受信機アレイと、
前記差分電気信号を、特定のネットワークプロトコルに従ってフォーマットされた再生光信号に変換するように構成された再生器と、
前記再生器からの前記再生光信号を、データビットストリームである電気信号に変換し、データビットストリームである前記電気信号に前方誤り訂正を行うことによって、訂正されたデータビットストリームである電気信号を生成し、前記訂正されたデータビットストリームである前記電気信号を、前記特定のネットワークプロトコルに従ってフォーマットされた、前記訂正されたデータビットストリームである光信号に変換するように構成された誤り訂正サブシステムと、
前記誤り訂正サブシステムによって送信された光信号を、前記訂正されたデータビットストリームであるＧＢＥフォーマットの電気信号に変換するように構成されたメディアコンバータと、
前記メディアコンバータから受信したＧＢＥフォーマットの電気信号を処理するようにプログラムされたデータプロセッサと、を含むシステム。
【請求項２】
前記特定のネットワークプロトコルは、シンクロナスオプティカルネットワーキング（Synchronous Optical Networking）である、請求項１に記載のシステム。
【請求項３】
前記データプロセッサは、少なくとも毎秒１ギガビットの速度でイーサネットフレームを送信するテレメトリプロセッサである、請求項１又は２に記載のシステム。
【請求項４】
入射する自由空間光信号を前記レンズのアレイに向かわせるように構成されたテレスコープをさらに含む、請求項１〜３のいずれか１つに記載のシステム。
【請求項５】
前記データプロセッサは、データビットストリームであるＧＢＥフォーマットの電気信号を前記メディアコンバータに送信するようにさらにプログラムされており、前記メディアコンバータは、前記データプロセッサから受信した前記電気信号を、前記特定のネットワークプロトコルに従ってフォーマットされた、前記データビットストリームである、一の波長の光信号に変換するようにさらに構成されており、前記システムは、
前記メディアコンバータから受信した前記一の波長の光信号を別の波長の光信号に変換するように構成された波長コンバータと、
前記別の波長の光信号を増幅するための光増幅器と、
前記増幅された光信号を前記テレスコープに搬送する光接続部と、をさらに備える、請求項４に記載のシステム。
【請求項６】
前記特定のネットワークプロトコルは、シンクロナスオプティカルネットワーキングである、請求項１〜５のいずれか１つに記載のシステム。
【請求項７】
前記データプロセッサは、テレメトリデータを処理するようにプログラムされている、請求項１〜６のいずれか１つに記載のシステム。
【請求項８】
第１及び第２のテレスコープと、
データビットストリームであるＧＢＥフォーマットの電気信号を送信するようにプログラムされた第１のデータプロセッサと、
前記第１のデータプロセッサから受信したＧＢＥフォーマットの電気信号を、特定のネットワークプロトコルに従ってフォーマットされた、前記送信されたデータビットストリームである、一の波長の光信号に変換するように構成された第１のメディアコンバータと、
前記第１のメディアコンバータから受信した前記一の波長の光信号を別の波長の光信号に変換するように構成された波長コンバータと、
前記別の波長の光信号を増幅するための光増幅器と、
前記増幅された光信号を前記第１のテレスコープに搬送する光接続部と、
前記第２のテレスコープから光を受信するように配置された第１のレンズのアレイと、
前記第１のレンズのアレイに光学的に接続されるとともに、前記第１のレンズのアレイに入射する光を差分電気信号に変換するように構成された第１の光通信受信機アレイと、
前記差分電気信号を、前記特定のネットワークプロトコルに従ってフォーマットされた再生光信号に変換するように構成された第１の再生器と、
前記第１の再生器からの前記再生光信号を、データビットストリームである電気信号に変換し、データビットストリームである前記電気信号に前方誤り訂正を行うことによって、訂正されたデータビットストリームである電気信号を生成し、前記訂正されたデータビットストリームである前記電気信号を、前記特定のネットワークプロトコルに従ってフォーマットされた、前記訂正されたデータビットストリームである光信号に変換するように構成された第１の誤り訂正サブシステムと、
前記第１の誤り訂正サブシステムからの前記訂正された光信号を、前記訂正されたデータビットストリームであるＧＢＥフォーマットの電気信号に変換するように構成された第２のメディアコンバータと、
前記第２のメディアコンバータから受信したＧＢＥフォーマットの電気信号を処理するようにプログラムされた第２のデータプロセッサと、を含む通信システム。
【請求項９】
前記第１のテレスコープ、前記第１のデータプロセッサ、及び前記第１のメディアコンバータは、可動プラットフォーム及び地上局のうちの一方に配置されており、前記第２のテレスコープ、前記第２のデータプロセッサ、及び前記第２のメディアコンバータは、前記可動プラットフォーム及び前記地上局のうちの他方に配置されている、請求項８に記載の通信システム。
【請求項１０】
前記特定のネットワークプロトコルは、シンクロナスオプティカルネットワーキングである、請求項８又は９に記載の通信システム。
【請求項１１】
前記第１及び第２のデータプロセッサのそれぞれは、少なくとも毎秒１ギガビットの速度でイーサネットフレームを送信及び受信可能なテレメトリプロセッサである、請求項１０に記載の通信システム。
【請求項１２】
前記第１のテレスコープから光を受信するように配置された第２のレンズのアレイと、
前記第２のレンズのアレイに光学的に接続されるとともに、前記第２のレンズのアレイに入射する光を差分電気信号に変換するように構成された第２の光通信受信機アレイと、
前記第２の光通信受信機アレイからの前記差分電気信号を、前記特定のネットワークプロトコルに従ってフォーマットされた再生光信号に変換するように構成された第２の再生器と、
前記第２の再生器からの前記再生光信号を、データビットストリームである電気信号に変換し、データビットストリームである前記電気信号に前方誤り訂正を行うことによって、訂正されたデータビットストリームである電気信号を生成し、前記訂正されたデータビットストリームである前記電気信号を、前記特定のネットワークプロトコルに従ってフォーマットされた、前記訂正されたデータビットストリームである光信号に変換するように構成された、第２の誤り訂正サブシステムと、をさらに含み、
前記第１のメディアコンバータは、前記第２の誤り訂正サブシステムからの前記訂正された光信号を、前記訂正されたデータビットストリームであるＧＢＥフォーマットの電気信号に変換するように構成されている、請求項９〜１１のいずれか１つに記載の通信システム。
【請求項１３】
前記第１のテレスコープと前記第２のレンズのアレイとの間に配置されるとともに、第１の波長を中心とする第１のバンドパスフィルターと、
前記第２のテレスコープと前記第１のレンズのアレイとの間に配置されるとともに、前記第１の波長とは異なる第２の波長を中心とする第２のバンドパスフィルターと、をさらに含む、請求項１２に記載の通信システム。
【請求項１４】
テレスコープと、
前記テレスコープから光信号を受信するように配置された複数のレンズと、
前記レンズによって受信した光信号を電気信号に変換するための複数の光検出器と、
前記光検出器からの前記電気信号を、特定のネットワークプロトコルに従ってフォーマットされた再生光信号に変換するように構成された電子回路と、
前記再生光信号を、データビットストリームである電気信号に変換し、データビットストリームである前記電気信号に前方誤り訂正を行うことによって、訂正されたデータビットストリームである電気信号を生成し、前記訂正されたデータビットストリームである前記電気信号を、前記特定のネットワークプロトコルに従ってフォーマットされた、前記訂正されたデータビットストリームである光信号に変換するように構成された誤り訂正サブシステムと、
前記訂正された光信号を、前記訂正されたデータビットストリームであるＧＢＥフォーマットの電気信号に変換するように構成されたメディアコンバータと、
前記メディアコンバータから受信したＧＢＥフォーマットの電気信号を処理するようにプログラムされたデータプロセッサと、を含むシステム。
【請求項１５】
前記特定のネットワークプロトコルは、シンクロナスオプティカルネットワーキングである、請求項１４に記載のシステム。
【請求項１６】
前記データプロセッサは、少なくとも毎秒1ギガビットの速度でイーサネットフレームを送信するテレメトリプロセッサである、請求項１４又は１５に記載のシステム。
【請求項１７】
前記データプロセッサは、データビットストリームであるＧＢＥフォーマットの電気信号を前記メディアコンバータに送信するようにさらにプログラムされており、前記メディアコンバータは、前記データプロセッサから受信した前記電気信号を、前記特定のネットワークプロトコルに従ってフォーマットされた、一の波長の光信号に変換するようにさらに構成されており、前記システムは、
前記メディアコンバータから受信した前記一の波長の光信号を別の波長の光信号に変換するように構成された波長コンバータと、
前記別の波長の光信号を増幅するための光増幅器と、
前記増幅された光信号を前記テレスコープに搬送する光接続部と、をさらに備える、請求項１６に記載のシステム。
【請求項１８】
大気中を伝播する光信号を用いてデータプロセッサ間でデータ通信を行う方法であって、
（ａ）第１のデータプロセッサから、ＧＢＥフォーマットの電気信号の形態のデータビットストリームを送信することと、
（ｂ）前記第１のデータプロセッサから受信したＧＢＥフォーマットの電気信号を、特定のネットワークプロトコルに従ってフォーマットされた、前記送信されたデータビットストリームである光信号に変換することと、
（ｃ）工程（ｂ）で生成した前記光信号を、第１のテレスコープから大気を介して送信することと、
（ｄ）前記第１のテレスコープによって送信された前記光信号を第２のテレスコープで受信することと、
（ｅ）前記第２のテレスコープで受信した前記光信号を電気信号に変換することと、
（ｆ）工程（ｅ）で生成された前記電気信号を、前記特定のネットワークプロトコルに従ってフォーマットされた再生光信号に変換することと、
（ｇ）前記再生光信号をデータビットストリームである電気信号に変換することと、
（ｈ）工程（ｇ）で生成された電気信号に前方誤り訂正を行うことによって、訂正されたデータビットストリームである電気信号を生成することと、
（ｉ）前記訂正されたデータビットストリームである前記電気信号を、前記特定のネットワークプロトコルに従ってフォーマットされた、前記訂正されたデータビットストリームである光信号に変換することと、
（ｊ）工程（ｉ）で生成された光信号を、前記訂正されたデータビットストリームであるＧＢＥフォーマットの電気信号に変換することと、
（ｋ）前記訂正されたデータビットストリームであるＧＢＥフォーマットの電気信号を、第２のデータプロセッサで受信することと、を含む方法。
【請求項１９】
前記工程（ｂ）は、
前記第１のデータプロセッサから受信したＧＢＥフォーマットの電気信号を、前記特定のネットワークプロトコルに従ってフォーマットされた、一の波長の光信号に変換することと、
前記一の波長の光信号を別の波長の光信号に変換することと、
前記別の波長の光信号を増幅することと、
前記増幅した光信号を単モードファイバーを介して前記第１のテレスコープに送信することと、を含む請求項１８に記載の方法。
【請求項２０】
前記特定のネットワークプロトコルは、シンクロナスオプティカルネットワーキングであり、前記第１及び第２のデータプロセッサのそれぞれは、少なくとも毎秒１ギガビットの速度でイーサネットフレームを送信及び受信可能なテレメトリプロセッサである、請求項１８又は１９に記載の方法。